(57)【要約】【課題】可動床の昇降を阻害することなく，可動床とプール槽の側壁との間のクリアランスを確実に塞ぐための技術を提供する。【解決手段】本発明による可変床式プールは，プール槽（１）と，前記プール槽（１）の内部に昇降可能に設けられた可動床（２）と，可動床（２）の端に固定され，且つ，可動床（２）の前記端とプール槽（１）の側壁（１ａ）との間を塞ぐための構造体（３，１０）とを備えている。構造体（３）は，構造体（３）が側壁（１ａ）に接する点と可動床（２）の端との距離とが調節可能である構成を有する。【選択図】　図１
2004092159.tif 000002
【特許請求の範囲】
【請求項１】
プール槽と，
前記プール槽の内部に昇降可能に設けられた可動床と，
前記可動床の端に固定され，且つ，前記可動床の前記端と前記プール槽の側壁との間を塞ぐための構造体
とを備え，
前記構造体が前記側壁に接する点と前記可動床の端との距離は，調節可能である
可変床式プール。
【請求項２】
プール槽と，
前記プール槽の内部に昇降可能に設けられた可動床と，
前記可動床の端に接合されたチューブと，
前記チューブに流体を供給し，又は排出する流体供給排出装置
とを備え，
前記チューブは，前記流体が供給されると膨張し，前記流体が排出されると収縮する
可変床式プール。
【請求項３】
請求項２に記載の可変床式プールにおいて，
前記チューブと前記流体供給排出装置とは，可撓性のホースを介して接合され，
前記流体は，前記ホースを介して前記チューブに出し入れされる
可変床式プール。
【請求項４】
請求項２に記載の可変床式プールにおいて，
前記流体は空気である
可変床式プール。
【請求項５】
プール槽と，
前記プール槽の内部に昇降可能に設けられた可動床と，
前記可動床の上面の端部の上に設けられ，前記可動床の端から前記プール槽の側面に向かって突出する弾性体
とを備え，
前記可動床は，前記弾性体を前記可動床の上面に平行に移動可能に保持する保持機構を含む
可変床式プール。
【請求項６】
請求項５に記載の可変床式プールにおいて，
更に，
前記弾性体を前記プール槽の側壁に向けて押しつける付勢機構
を備えた
可変床式プール。
【請求項７】
請求項５に記載の可変床式プールにおいて，
前記弾性体は，
前記可動床の上面に接触する可動床接触面と，
前記プール槽の側壁と反対側の端において前記可動床接触面に接続し，前記反対側の端から前記プール槽の側壁に向けて斜めに設けられた斜め面と，
前記斜め面と前記可動床接触面との間に介設され，前記プール槽の側壁に接触されるプール槽接触面
とを有し，
前記プール槽接触面は，前記プール槽の側壁に向かって凸になるように形成されている
可変床式プール。
【請求項８】
プール槽と，
前記プール槽の内部に昇降可能に設けられた可動床と，
前記可動床の端に接合され，前記端と前記プール槽の側壁との間に位置する膨張及び収縮が自在なチューブとを備える可変床式プールの使用方法であって，
前記可動床を昇降して前記可動床を所望の高さに移動するステップと，
前記可動床の移動の後，前記チューブに流体を注入して前記チューブを膨張させるステップ
とを備えた
可変床式プール使用方法。
【請求項９】
請求項８に記載の可変床式プール使用方法において，
更に，
前記可動床の移動の前に，前記チューブから流体を排出して前記チューブを収縮させるステップ
を備えた
可変床式プール使用方法。
【発明の詳細な説明】
【０００１】
【発明の属する技術分野】
本発明は，可変床式プールに関する。本発明は，特に，可変床式プールの安全性を向上するための技術に関する。
【０００２】
【従来の技術】
昇降可能な可動床を備えた可変床式プールは，プールの深さを用途に応じて調節可能である点で便利である。例えば，背の低い子供がプールで遊泳するときには，可動床を上昇することにより，子供の安全を確保できる。一方，シンクロナイズドスイミングが行われる場合には，可動床を下降することにより，シンクロナイズドスイミングを行うのに充分な深さが確保できる。可変床式プールは，例えば，特開平３−１３７３６１号公報に開示されている。
【０００３】
可動床を昇降するためには，可動床の端とプール槽の側壁との間にクリアランスが必要である。しかし，可変床式プールのユーザの手足の指が該クリアランスに挟み込まれる事態を防止する観点からは，このクリアランスは塞がれる必要がある。可動床とプール槽の側壁との間のクリアランスは，可動床の昇降を阻害することなく，且つ，確実に塞がれることが望ましい。
【０００４】
【発明が解決しようとする課題】
本発明の目的は，可動床の昇降を阻害することなく，可動床とプール槽の側壁との間のクリアランスを確実に塞ぐための技術を提供することにある。
【０００５】
本発明の他の目的は，プール槽の断面形状により可動床の端とプール槽の側壁とのクリアランスの大きさが可動床の高さによって変化する場合でも，該クリアランスを確実に塞ぐことを可能にする技術を提供することにある。
【０００６】
【課題を解決するための手段】
以下に，［発明の実施の形態］で使用される番号・符号を用いて，課題を解決するための手段を説明する。これらの番号・符号は，［特許請求の範囲］の記載と［発明の実施の形態］の記載との対応関係を明らかにするために付加されている。但し，付加された番号・符号は，［特許請求の範囲］に記載されている発明の技術的範囲の解釈に用いてはならない。
【０００７】
本発明による可変床式プールは，プール槽（１）と，前記プール槽（１）の内部に昇降可能に設けられた可動床（２）と，可動床（２）の端に固定され，且つ，可動床（２）の前記端とプール槽（１）の側壁（１ａ）との間を塞ぐための構造体（３，１０）とを備えている。構造体（３，１０）が側壁（１ａ）に接する点と可動床（２）の端との距離とは，調節可能である。
【０００８】
より具体的には，本発明による可変床式プールは，可動床（２）の端に接合されたチューブ（３）と，チューブ（３）に流体を供給し，又は排出する流体供給排出装置（６）とを備えている。チューブ（３）は，前記流体が供給されると膨張し，前記流体が排出されると収縮する。このような可変床式プールは，簡便な構造でありながら，可動床（２）の端とプール槽（１）の側壁（１ａ）とのクリアランスの大きさが可動床の高さによって変化する場合でも，クリアランスを確実に塞ぐことができる。
【０００９】
チューブ（３）と流体供給排出装置（６）とは，可撓性のホース（４）を介して接合され，流体は，ホース（４）を介してチューブ（３）に出し入れされることが望ましい。可撓性であるホース（４）は，可動床（２）の高さに応じて自在に変形可能であり，可動床（２）の昇降に干渉しない。
【００１０】
また，本発明による可変床式プールは，可動床（２）の上面の端部の上に設けられ，可動床（２）の端から前記プール槽（１）の側面に向かって突出する弾性体（１０）を備える構成をとることも可能である。この場合，可動床（２）は，弾性体（１０）を可動床（２）の上面に平行に移動可能に保持する保持機構（７ａ，１１，１２）を含む。
【００１１】
この場合，当該可変床式プールは，更に，弾性体（１０）をプール槽（１）の側壁（１ａ）に向けて押しつける付勢機構（１５）を備えていることが好ましい。
【００１２】
また，弾性体（１０）は，可動床（２）の上面に接触する可動床接触面（１０ａ）と，前記プール槽（１）の側壁と反対側の端において前記可動床接触面（１０ａ）に接続し，前記反対側の端から前記プール槽（１）の側壁に向けて斜めに設けられた斜め面（１０ｂ）と，斜め面（１０ｂ）と可動床接触面（１０ａ）との間に介設され，前記プール槽（１）の側壁に接触されるプール槽接触面（１０ｃ）とを有し，プール槽接触面（１０ｃ）は，プール槽（１）の側壁（１ａ）に向かって凸になるように形成されていることが好ましい。
【００１３】
本発明による可変床式プール使用方法は，プール槽（１）と，プール槽（１）の内部に昇降可能に設けられた可動床（２）と，可動床（２）の端に接合され，前記端と前記プール槽（１）の側壁（１ａ）との間に位置する膨張及び収縮が自在のチューブ（３）とを備える可変床式プールの使用方法である。当該可変床式プール使用法は，可動床（２）を昇降して可動床（２）を所望の高さに移動するステップと，可動床（２）の移動の後，チューブ（３）に流体を注入してチューブ（３）を膨張させるステップとを備えている。
【００１４】
当該可変床式プール使用方法は，更に，可動床（２）の移動の前に，チューブ（３）から流体を排出してチューブ（３）を収縮させるステップを備えていることがある。
【００１５】
【発明の実施の形態】
（実施の第１形態）
本発明による可変床式プールの実施の第１形態では，図１に示されているように，プール槽１の内部に可動床２が設けられている。可動床２は，その上面が，プール槽１の底面と概ね平行になるように保持される。可動床２は，図示されない駆動装置によって駆動されて昇降する。
【００１６】
可動床２の端には，膨張及び収縮が自在であるエアチューブ３が接合されている。エアチューブ３は，可動床２の縁を概ね囲繞するように設けられている。エアチューブ３は，可撓性のホース４の一端に接続されている。
【００１７】
ホース４の他端は，プール槽１の側面に設けられた止水パッキン５を介してプール槽１の外部に取り出されている。ホース４のプール槽１の外にある端には，エア源ユニット６が接続されている。エア源ユニット６は，エアチューブ３に空気を供給し，更に，エアチューブ３の内部にある空気を排出する機能を有している。エアチューブ３に空気が供給されるとエアチューブ３は膨張し，エアチューブ３から空気が排出されるとエアチューブ３は収縮する。エアチューブ３が膨張した状態では，エアチューブ３は弾性的に変形可能であり，プール槽１と可動床２との間のクリアランスをより確実に閉塞することが可能である。
【００１８】
続いて，可動床２の昇降方法が説明される。図２（ｂ）に示されているように，可動床２が昇降するためには，まず，エア源ユニット６によってエアチューブ３から空気が排出され，エアチューブ３が収縮される。エアチューブ３が収縮されると，可動床２とプール側壁１ａとの間にクリアランスが確保され，可動床２が昇降可能になる。続いて，可動床２が駆動装置（図示されない）によって駆動されて昇降される。ホース４が可撓性を有することは，ホース４が可動床２の昇降を阻害しない点で好適である。
【００１９】
可動床２が所望の高さに移動された後，図２（ａ）に示されているように，可動床２は固定される。続いて，エア源ユニット６によってエアチューブ３に空気が供給され，エアチューブ３が膨張される。エアチューブ３は，プール側壁１ａに充分に大きな面積で接触するまで膨張される。エアチューブ３が膨張されることにより，可動床２とプール側壁１ａとの間のクリアランスが塞がれる。クリアランスが塞がれることにより，当該可変床式プールのユーザの手足の指が，該クリアランスに挟み込まれる事故の発生を防止することができる。
【００２０】
膨張及び収縮が自在であるエアチューブ３がクリアランスを塞ぐために使用されることにより，可動床２とプール側壁１ａとの間の距離が可動床２の高さによって違う場合でも，クリアランスを確実にふさぐことができる。プール槽１の断面形状によっては，可動床２とプール側壁１ａとの間の距離とは可動床２の高さによって違うことがある。例えば，プール槽１の深い位置ほどプール槽１の幅が広くなっている場合には，可動床２とプール側壁１ａとの間の距離は，可動床２の高さが低いほど広くなる。しかし，膨張及び収縮が自在であるエアチューブ３は，プール槽１に接する点と可動床２の端との距離に合わせて膨張し，エアチューブ３のプール槽１に接する点と可動床２の端との距離は，自動的に調節される。従って，エアチューブ３は，可動床２とプール側壁１ａとの間のクリアランスを確実に閉塞することができる。
【００２１】
（実施の第２形態）
図３は，本発明による可変床式プールの実施の第２形態を示す。実施の第２形態では，エアチューブ３の代わりに，隙間閉塞機構９が設けられる。隙間閉塞機構９によって，可動床２とプール側壁１ａとの間にクリアランスが閉塞される。実施の第２形態が，以下でより詳細に説明される。
【００２２】
昇降可能な可動床２が，プール槽１の内部に設けられる。可動床２は，床板７と支持フレーム８とを含む。支持フレーム８は，床板７の底面に接合され，床板７を支持する。床板７の端の近傍には，隙間閉塞機構９が設けられ，可動床２とプール側壁１ａとの間のクリアランスは，隙間閉塞機構９によって閉塞される。
【００２３】
隙間閉塞機構９は，弾性的に変形可能な隙間閉塞ゴム材１０を備えている。隙間閉塞ゴム材１０は，可動床２の上に摺動可能に載置されている。隙間閉塞ゴム材１０は，可動床接触面１０ａと，斜め面１０ｂと，側壁接触面１０ｃとを有している。隙間閉塞ゴム材１０は，可動床接触面１０ａにおいて可動床２の上面に接触する。斜め面１０ｂは，可動床接触面１０ａの，プール側壁１ａと反対側の端において可動床接触面１０ａに接続し，該反対側の端からプール側壁１ａに向けて斜めに設けられている。側壁接触面１０ｃは，可動床接触面１０ａと斜め面１０ｂとの間に介設されている。側壁接触面１０ｃは，プール側壁１ａに向かって凸である形状を有し，プール側壁１ａに接触する。
【００２４】
隙間閉塞ゴム材１０には，斜め面１０ｂから可動床接触面１０ａに向けて開口１０ｄが設けられている。開口１０ｄには，袋ナット１１が挿入されている。隙間閉塞ゴム材１０には，更に，開口１０ｄの底面から可動床接触面１０ａに到達する穴が設けられ，この穴には，取付Ｔ字金物１２が挿入されている。取付Ｔ字金物１２は，床板７に平行な第１部材１２ａと，第１部材１２ａの中央に接合され，床板７と垂直な方向に延伸する第２部材１２ｂとを有する。第２部材１２ｂは，床板７と隙間閉塞ゴム材１０とを貫通している。第２部材１２ｂの端には雄ねじが形成され，第２部材１２ｂの端は，袋ナット１１と螺合されている。第２部材１２ｂには，座金１３，１４が通されている。座金１３は，開口１０ｄの底部に挿入され，座金１４は，可動床接触面１０ａの下に挿入されている。隙間閉塞ゴム材１０は，座金１３，１４によって挟まれている。袋ナット１１は，ある程度の力で締められており，隙間閉塞ゴム材１０と取付Ｔ字金物１２とは，一体に接合されている。
【００２５】
図４に示されているように，床板７には，プール側壁１ａに向かう方向にスリット７ａが形成されている。取付Ｔ字金物１２は，スリット７ａに挿入され，取付Ｔ字金物１２は，スリット７ａが延設されている方向に自在に移動可能である。
【００２６】
図３に示されているように，取付Ｔ字金物１２は，バネ１５の一端に接続されている。バネ１５の他端は，可動床２の支持フレーム８に固定されている。バネ１５は，取付Ｔ字金物１２をプール側壁１ａの方に押しつける。取付Ｔ字金物１２がプール側壁１ａの方に押しつけられることにより，取付Ｔ字金物１２に固定された隙間閉塞ゴム材１０もプール側壁１ａの方に押しつけられる。これにより，プール側壁１ａと可動床２との間のクリアランスが，確実に塞がれる。
【００２７】
上述の隙間閉塞機構９の構造は，可動床２とプール側壁１ａとの間の距離が可動床２の高さによって違う場合でも，クリアランスを確実にふさぐことを可能にする。隙間閉塞ゴム材１０及び取付Ｔ字金物１２は，可動床２の上面の端の近傍に，プール側壁１ａの方向に移動可能に接合されている。更に，隙間閉塞ゴム材１０及び取付Ｔ字金物１２は，バネ１５によってプール側壁１ａの方に押しつけられている。このような構造は，隙間閉塞ゴム材１０の可動床２の端からの突出量を可動床２とプール側壁１ａとの間の距離に応じて，自動的に調節する。これにより，可動床２とプール側壁１ａとの間の距離が可動床２の高さによって違う場合でも，クリアランスを確実にふさぐことができる。
【００２８】
図３に示された隙間閉塞ゴム材１０の形状は，当該可変床式プールのユーザの手足の指を隙間閉塞ゴム材１０とプール側壁１ａとの間に挟み込むのを効果的に防止できる点で好適である。ユーザの手足が，隙間閉塞ゴム材１０の斜め面１０ｂに接触すると，隙間閉塞ゴム材１０は，プール側壁１ａに押しつけられ，隙間閉塞ゴム材１０とプール側壁１ａとがより密着する。隙間閉塞ゴム材１０とプール側壁１ａとが密着することにより，ユーザの手足の指が可動床２とプール側壁１ａとの間のクリアランスに挟み込まれる事態の発生が効果的に防がれる。更に，隙間閉塞ゴム材１０の側壁接触面１０ｃとプール側壁１ａとの間に手足の指を挿入しようとすると，側壁接触面１０ｃは，プール側壁１ａに向けて凸であるため，側壁接触面１０ｃには，プール側壁１ａに押しつけられるような力が作用する。側壁接触面１０ｃがプール側壁１ａに押しつけられることにより，ユーザの手足の指が隙間閉塞ゴム材１０とプール側壁１ａとの間に挟み込まれる事態の発生が効果的に防がれている。
【００２９】
図３に示された隙間閉塞ゴム材１０の形状は，更に，可動床２の昇降を阻害しにくい。側壁接触面１０ｃがプール側壁１ａに向けて凸であるため，可動床２が上昇される場合と下降される場合のいずれの場合でも，隙間閉塞ゴム材１０とプール側壁１ａとは滑らかに接触する。隙間閉塞ゴム材１０とプール側壁１ａとが滑らかに接触することにより，可動床２の円滑な昇降が可能である。
【００３０】
【発明の効果】
本発明により，可動床の昇降を阻害することなく，可動床とプール槽の側壁との間のクリアランスを確実に塞ぐための技術が提供される。
【００３１】
また，本発明により，プール槽の断面形状により可動床の端とプール槽の側壁とのクリアランスの大きさが可動床の高さによって変化する場合でも，該クリアランスを確実に塞ぐことを可能にする技術が提供される。
【図面の簡単な説明】
【図１】図１は，本発明による可変床式プールの実施の第１形態を示す。
【図２】図２は，実施の第１形態における可変床式プールの使用方法を示す。
【図３】図３は，本発明による可変床式プールの実施の第２形態を示す断面図である。
【図４】図４は，可動床２の床板７に設けられたスリット７ａと，取付Ｔ字金物１２とを示す。
【符号の説明】
１：プール槽
２：可動床
３：エアチューブ
４：ホース
５：止水パッキン
６：エア源ユニット
７：床板
８：支持フレーム
９：隙間閉塞機構
１０：隙間閉塞ゴム材
１１：袋ナット
１２：取付Ｔ字金物
１３，１４：座金
１５：バネ
【図１】
2004092159.tif 000003
【図２】
2004092159.tif 000004
【図３】
2004092159.tif 000005
【図４】
2004092159.tif 000006